(57)【特許請求の範囲】
【請求項１】
遊技盤の盤面の遊技領域内に順次発射される各磁性金属製遊技球を、前記遊技領域内の障害釘や役物を介し転動させるように立設される遊技機の前記遊技盤の前記盤面に前記遊技領域内にてその所定部位の下方に設けられて前記所定部位から下降する遊技球を下方へ傾斜状に誘導して周方向に向け落下させる誘導部材と、
この誘導部材から前記周方向に向け落下する遊技球を外周部側から中心部側にかけて螺旋状に転動させるように形成した上面と、この上面に沿い転動する遊技球を落下させるように前記中心部を介し互いに対向して形成した低入賞確率用の第１貫通孔部及び高入賞確率用の第２貫通孔部とを有するように、前記誘導部材の下側に設けられた誘導壁と、
湾曲状磁石片を有し、この湾曲状磁石片を前記第１貫通孔部側に向けて湾曲状に開く状態にて前記第２貫通孔部の前記第１貫通孔部とは反対側周縁部位に近接するように変位させ、また、前記湾曲状磁石片を前記第２貫通孔部の前記反対側周縁部位から離隔するように変位させる変位手段とを備えて、
前記誘導壁の前記上面に落下してその周方向に沿い転動する遊技球を、前記湾曲状磁石片の前記第２貫通孔部の前記反対側周縁部位からの前記離隔のもと、前記第１及び第２の貫通孔部のいずれかに落下し易いように振り分け、または、前記湾曲状磁石片の前記第２貫通孔部の前記反対側周縁部位に対する前記近接のもと、前記誘導壁の前記上面に落下してその周方向に沿い転動する遊技球を前記湾曲状磁石片の磁力のもとに前記反対側周縁部位に沿い転動させて前記第１貫通孔部に落下し易いように振り分ける遊技機用振り分け装置。
【請求項２】
前記湾曲状磁石片は、前記第２貫通孔部の前記第１貫通孔部とは反対側の半円周部に対応する半円環状磁石片であって、
前記変位手段は、
前記誘導壁の前記第２貫通孔部から垂下状に延出する放出筒部に軸方向に摺動可能に嵌装される摺動筒であってその上端部に前記第２貫通孔部の前記半円周部に対応するように前記半円環状磁石片を設けてなる摺動筒と、
前記半円環状磁石片を前記第２貫通孔部の前記半円周部に近接するように変位させるべく前記摺動筒を前記放出筒部に沿い上方へ摺動するように駆動し、または、前記半円環状磁石片を前記第２貫通孔部の前記半円周部から離隔するように変位させるべく前記摺動筒を前記放出筒部に沿い下方へ摺動するように駆動する電気的駆動手段とを具備して、
前記誘導壁の前記上面を周方向に沿い転動する遊技球を、前記半円環状磁石片の前記第２貫通孔部の前記半円周部からの前記離隔のもと、前記第１及び第２の貫通孔部のいずれかに落下し易いように振り分け、または、前記半円環状磁石片の前記第２貫通孔部の前記半円周部に対する前記近接のもと、前記誘導壁の前記上面を周方向に沿い転動する遊技球を前記半円環状磁石片の磁力のもとに前記半円周部に沿い転動させて前記第１貫通孔部に落下し易いように振り分けるようにしたことを特徴とする請求項１に記載の遊技機用振り分け装置。
【請求項３】
前記誘導壁の前記上面のうち前記第１及び第２の貫通孔部の間に形成した球通路の直下にて前記第１及び第２の貫通孔部の中心線に対する直交方向に回転可能に支持される回転部材と、
この回転部材の外周面にその周方向に間隔をおいて埋設される複数の磁石部材であって前記回転部材の周方向に沿いその外周面に前記第１貫通孔部の側から前記第２貫通穴部の側へ順次位置ずれして埋設される複数の磁石部材と、
前記複数の磁石部材のいずれかを前記球通路に対向させるように前記回転部材を一方向及び他方向に交互に回転させる電気的回転手段とを備えて、
前記誘導壁の前記上面を周方向に沿い転動する遊技球が前記球通路内に達したとき、この遊技球を、前記複数の磁石部材のうち前記遊技球に最も近い磁石部材の磁力により、前記第１及び第２の貫通孔部のいずれかに落下し易く前記球通路に沿い振り分けるようにしたことを特徴とする請求項１または２に記載の遊技機用振り分け装置。
【請求項４】
前記球通路の前記第２貫通孔部との境界部の両側から当該第２貫通孔部の外周部上に沿い円弧状に突出形成される両突起部を備えることを特徴とする請求項３に記載の遊技機用振り分け装置。
【発明の詳細な説明】
【技術分野】
【０００１】
本発明は、パチンコ遊技機、アレンジボール遊技機或いは雀球遊技機等の各種の遊技機に係り、特に、当該遊技機の遊技領域に発射された遊技球を所定の入賞に対応するように振り分けるに適した遊技機用振り分け装置に関する。
【背景技術】
【０００２】
従来、例えば、下記特許文献１に開示された遊技機において採用されてなるクルーン役物手段は、環状部材及び磁力発生位置調整手段を備え、当該遊技機の遊技領域において始動入賞口の直下に配設されている。
【０００３】
ここで、環状部材は、内環部材及び外環部材を備えている。内環部材は、その路面にて、上方の始動入賞口側を臨むように形成されており、この内環部材の路面には、その円周方向に沿い複数個の入賞穴が形成されている。また、外環部材は、その路面にて、内環部材の路面と共に上方の始動入賞口側を臨むように、内環部材の外周に沿い設けられている。なお、外環部材の路面は、内環部材の路面側に向けて下方へ傾斜している。
【０００４】
これにより、始動入賞口からクルーン役物手段に落下する遊技球は、その落下の勢いでもって外環部材の路面に沿い転動し、上記勢いを失うことにより、複数の入賞穴のいずれかに落下するように内環部材の路面側に転動する。
【０００５】
また、磁力発生位置調整手段は、環状部材の下方に設けられており、この磁力発生位置調整手段は、その電磁石を、環状部材の内環部材に沿い回動させるように構成されている。これにより、特別価値の発生確率が当初予定の確率より大幅に低くなる場合に、磁力発生位置調整手段は、その電磁石を特定の入賞穴の近傍に転動停止させて当該電磁石に通電し、この電磁石の磁気的吸引力により、上述のように内環部材の路面側に転動する遊技球を上記特定の入賞穴に落下し易くするようにこの入賞穴に向けて誘導する。
【特許文献１】特開平１１−３３３０８０号公報
【発明の開示】
【発明が解決しようとする課題】
【０００６】
ところで、上記構成の遊技機によれば、クルーン役物手段により遊技球を振り分けているように見せかけているものの、特別価値の発生確率が大幅に低下するときには、遊技球を、環状部材の複数の入賞穴のうち、特定の入賞穴内に落下させるように、電磁石でもって強制的に吸引誘導している。
【０００７】
しかしながら、このような電磁石の強制的吸引誘導に依っては、外環部材の路面に沿い上記勢いを失いつつ転動している遊技球が、不自然な軌跡を描きながら特定の入賞穴に向け引き寄せられるような転動を行うこととなる。このため、遊技者は、本来、意外性を楽しめる筈なのに、上述のような不自然な経路を経る遊技球の転動に起因して、却って、面白みを感じることができず、その結果、遊技者にとって興味をそそるような遊技性が損なわれることとなる。
【０００８】
そこで、本発明は、以上のようなことに対処するため、所定の入賞に対応させるように遊技球を振り分けるにあたり、遊技球を、磁力を利用しつつも、遊技者に不自然に感じさせることなく転動させるようにした遊技機の振り分け装置を提供することを目的とする。
【課題を解決するための手段】
【０００９】
上記課題の解決にあたり、本発明に係る遊技機用振り分け装置は、請求項１の記載によれば、
遊技盤（Ｂｂ）の盤面の遊技領域内に順次発射される各磁性金属製遊技球を、上記遊技領域内の障害釘（６０）や役物（３０ａ、３０ｂ、４０、５０）を介し転動させるように立設される遊技機の遊技盤の上記盤面に上記遊技領域内にてその所定部位（８３）の下方に設けられて上記所定部位から下降する遊技球を下方へ傾斜状に誘導して周方向に向け落下させる誘導部材（１３０）と、
この誘導部材から上記周方向に向け落下する遊技球を外周部側から中心部側にかけて螺旋状に転動させるように形成した上面と、この上面に沿い転動する遊技球を落下させるように上記中心部を介し互いに対向して形成した低入賞確率用の第１貫通孔部（１２３ａ）及び高入賞確率用の第２貫通孔部（１２４ａ）とを有するように、誘導部材の下側に設けられた誘導壁（１２０）と、
湾曲状磁石片（１４２）を有し、この湾曲状磁石片を上記第１貫通孔部側に向けて湾曲状に開く状態にて上記第２貫通孔部の上記第１貫通孔部とは反対側周縁部位に近接するように変位させ、また、湾曲状磁石片を上記第２貫通孔部の上記反対側周縁部位から離隔させるように変位させる変位手段（１４１、１４３、１４４、１４５）とを備えて、
誘導壁の上記上面に落下してその周方向に沿い転動する遊技球を、湾曲状磁石片の上記第２貫通孔部の上記反対側周縁部位からの上記離隔のもと、上記第１及び第２の貫通孔部のいずれかに落下し易いように振り分け、または、湾曲状磁石片の上記第２貫通孔部の上記反対側周縁部位に対する上記近接のもと、誘導壁の上記上面に落下してその周方向に沿い転動する遊技球を湾曲状磁石片の磁力のもとに上記反対側周縁部位に沿い転動させて上記第１貫通孔部に落下し易いように振り分けるものである。
【００１０】
これによれば、各遊技球が遊技盤の盤面の遊技領域内に順次発射されると、当該各遊技球は、遊技盤の盤面の遊技領域に沿い障害釘や役物を介し転動していく。そして、当該各遊技球のうち遊技領域の上記所定部位から下降する遊技球が、誘導部材により誘導されて誘導壁の上記上面にその周方向に向け落下する。
【００１１】
ここで、誘導壁の上面は、上述のごとく、その外周部側から中心部側にかけて遊技球を螺旋状に転動させるように形成されているから、上述のように落下した遊技球は、誘導壁の上面の周方向に沿い転動しながら上記中心部に向けて螺旋状に転動する。
【００１２】
また、上述のごとく、第１及び第２の貫通孔部は、誘導壁の上面に上記中心部を介し互いに対向するように形成されている。従って、湾曲状磁石片を変位手段により第２貫通孔部の上記反対側周縁部位から離隔させた状態のときには、湾曲状磁石片の磁力が、上述のように中心部に向けて転動する遊技球には作用しない。
【００１３】
このため、当該遊技球は、誘導壁の上面に沿い第１及び第２の貫通孔部の周囲を自然な経路を転動しながら第１及び第２の貫通孔部のいずれかに落下し易いように振り分けられる。その結果、このように遊技球が振り分けられても、遊技者は、何ら不自然に感じることがなく、所定の入賞に対応させるような振り分け装置の振り分け演出効果に対し、良好な面白みを感じることができる。その結果、遊技者にとって興味をそそるような遊技性が良好に確保され得る。
【００１４】
また、湾曲状磁石片を変位手段により第２貫通孔部の上記反対側周縁部位に近接させた状態のときには、当該湾曲状磁石片が近接した上記反対側周縁部位は、上述のごとく、第２貫通孔部の第１貫通孔部とは反対側周縁部位である。しかも、当該反対側周縁部位に近接した湾曲状磁石片は、第１貫通孔部側に向けて湾曲状に開く状態にある。
【００１５】
従って、遊技球が上述のように中心部に向けて転動し第２貫通孔部の上記反対側周縁部位に達すると、当該遊技球は、湾曲状磁石片の磁力を受け、その転動の勢いと相俟って、第２貫通孔部の上記反対側周縁部位に沿い転動する。
【００１６】
このとき、上述のように湾曲状磁石片は第１貫通孔部側に向けて湾曲状に開く状態にあるため、当該湾曲状磁石片の湾曲方向は、誘導壁の上面における遊技球の螺旋状の転動方向に似ている。
【００１７】
このため、上述のように上記中心部に向けて転動する遊技球が、湾曲状磁石片の磁力に起因して、第２貫通孔部の上記反対側周縁部位に沿い転動しても、この転動経路は、遊技者にとって、誘導壁の上面における遊技球の螺旋状の転動経路の延長上にあって自然の転動経路のように見える。その結果、このような転動経路を転動する遊技球が、第２貫通孔部に落下することなく、第１貫通孔部に落下し易いように振り分けられても、遊技者は何ら不自然に感じることがなく、所定の入賞に対応させるような振り分け装置の振り分け演出効果に対し、良好な面白みを感じることができる。その結果、遊技者にとって興味をそそるような遊技性が良好に確保され得る。
【００１８】
また、本発明は、請求項２の記載によれば、請求項１に記載の遊技機用振り分け装置において、湾曲状磁石片は、上記第２貫通孔部の上記第１貫通孔部とは反対側の半円周部に対応する半円環状磁石片であって、
変位手段は、
誘導壁の上記第２貫通孔部から垂下状に延出する放出筒部（１２４）に軸方向に摺動可能に嵌装される摺動筒であってその上端部に上記第２貫通孔部の上記半円周部に対応するように半円環状磁石片を設けてなる摺動筒（１４１）と、
半円環状磁石片を上記第２貫通孔部の上記半円周部に近接するように変位させるべく摺動筒を上記放出筒部に沿い上方へ摺動するように駆動し、または、半円環状磁石片を上記第２貫通孔部の上記半円周部から離隔するように変位させるべく摺動筒を上記放出筒部に沿い下方へ摺動するように駆動する電気的駆動手段（１４３、１４４、１４５）とを具備して、
誘導壁の上記上面を周方向に沿い転動する遊技球を、半円環状磁石片の上記第２貫通孔部の上記半円周部からの上記離隔のもと、上記第１及び第２の貫通孔部のいずれかに落下し易いように振り分け、または、半円環状磁石片の上記第２貫通孔部の上記半円周部に対する上記近接のもと、誘導壁の上記上面を周方向に沿い転動する遊技球を半円環状磁石片の磁力のもとに上記半円周部に沿い転動させて上記第１貫通孔部に落下し易いように振り分けるようにしたことを特徴とする。
【００１９】
これによれば、摺動筒を電気的駆動手段により上記放出筒部に沿い上方へ摺動させることで、半円環状磁石片は、第２貫通孔部の上記半円周部に近接し、または、摺動筒を電気的駆動手段により上記放出筒部に沿い下方へ摺動させることで、第２貫通孔部の上記半円周部から離隔する。
【００２０】
また、半円環状磁石片は、上述のごとく、第２貫通孔部の上記第１貫通孔部とは反対側の半円周部に対応する半円環状磁石片である。従って、この半円環状磁石片の両端部における接線方向は、遊技球を、より一層、第２貫通孔部に落下させることなく第１貫通孔部に向けて転動させ易い方向である。
【００２１】
このため、当該半円環状磁石片が第２貫通孔部の上記半円周部に近接した状態において、遊技球が誘導壁の上面に沿い螺旋状に転動して上記半円周部に達したとき、当該遊技球は、当該半円周部から第２貫通孔部に落下することなく第１貫通孔部に向けて容易に転動し易い。その結果、上述のように半円環状磁石片を第２貫通孔部の上記半円周部に近接させることで、請求項１に記載の発明の作用効果がより一層向上され得る。
【００２２】
また、請求項２の記載の発明において、電気的駆動手段が、プランジャー（１４３ｃ）を上下方向に軸動させるように作動する電磁式アクチュエータ（１４３）と、摺動筒とアクチュエータのプランジャーとの間に連結されて適宜な支持部材により上下方向に揺動可能に支持してなる揺動部材（１４４）とを備えて、
アクチュエータが、プランジャーの上方への軸動により、摺動筒を磁石片から離隔するように変位させるべく揺動部材を一方向に揺動させ、または、プランジャーの下方への軸動により、摺動筒を磁石片と近接すべく変位させるように揺動部材を他方向に揺動させるようにしてもよい。これにより、請求項２に記載の発明の作用効果をより一層具体的に達成し得る。
【００２３】
また、本発明は、請求項３の記載によれば、請求項１または２に記載の遊技機用振り分け装置において、
誘導壁の上記上面のうち上記第１及び第２の貫通孔部の間に形成した球通路（１２５）の直下にて上記第１及び第２の貫通孔部の中心線に対する直交方向に回転可能に支持される回転部材（１４９）と、
この回転部材の外周面にその周方向に間隔をおいて埋設される複数の磁石部材であって回転部材の周方向に沿いその外周面に上記第１貫通孔部の側から上記第２貫通穴部の側へ順次位置ずれして埋設される複数の磁石部材（Ｍ１、Ｍ２、Ｍ３）と、
複数の磁石部材のいずれかを球通路に対向させるように回転部材を一方向及び他方向に交互に回転させる電気的回転手段（１４６、１４７、１４８）とを備えて、
誘導壁の上記上面を周方向に沿い転動する遊技球が球通路内に達したとき、この遊技球を、複数の磁石部材のうち遊技球に最も近い磁石部材の磁力により、上記第１及び第２の貫通孔部のいずれかに落下し易く球通路に沿い振り分けるようにしたことを特徴とする。
【００２４】
このような構成によれば、遊技球が、誘導壁の上記上面を周方向に沿い転動しながら上記中心部に向けて螺旋状に転動して、第１及び第２の貫通孔部のいずれにも落下することなく、球通路内に達したときには、電気的回転手段による回転部材の一方向及び他方向への交互の回転のもと、当該遊技球は、複数の磁石部材のうち最も近い磁石部材の磁力により、第１及び第２の貫通孔部のいずれかに落下し易く球通路に沿い振り分けられる。
【００２５】
従って、遊技球が、上述のごとく球通路内に達した後に、第１及び第２の貫通孔部のいずれにも落下しにくいような状態を招くことなく、上述のような回転部材の交互回転に伴う複数の磁石部材の回転により、第１及び第２の貫通孔部のいずれかに落下し易いように振り分けられる。
【００２６】
このような振り分けは、遊技者にとって、上述した複数の磁石部材の回転による遊技球の動きに起因して、自然な振り分けのように見える。その結果、請求項１または２に記載の発明の作用効果を達成し得るのは勿論のこと、遊技球が上述のごとく球通路内に達したときにも、当該振り分け装置による振り分け演出効果に対し、遊技者に対し良好な遊技性を感じさせることができる。
【００２７】
また、本発明は、請求項４の記載によれば、請求項３に記載の遊技機用振り分け装置において、球通路の上記第２貫通孔部との境界部の両側から当該第２貫通孔部の外周部上に沿い円弧状に突出形成される両突起部（１２５ａ）を備えることを特徴とする。
【００２８】
これによれば、上述のように誘導壁の上面に沿い螺旋状に転動する遊技球が球通路側から第２貫通孔部に向けて転動しても、当該遊技球は、両突起部のいずれかにより、第２貫通孔部への落下を阻止され得る。その結果、このような阻止のもとに遊技球が球通路に達する際には、請求項３に記載の発明の作用効果が確保され得る。
【００２９】
なお、上記各手段の括弧内の符号は、後述する実施形態に記載の具体的手段との対応関係を示すものである。
【発明を実施するための最良の形態】
【００３０】
以下、本発明の一実施形態を図面により説明すると、図１は、本発明が適用されるパチンコ遊技機の第１実施形態を示している。当該パチンコ遊技機は、パチンコホール内の島に立設されるもので、当該パチンコ遊技機は、四角環状の機枠Ｆと、遊技機本体Ｂと、前扉Ｄとを備えている。なお、機枠Ｆは、上記島において上板と下板（図示しない）との間に挟持されて支持される。また、前扉Ｄは、遊技機本体Ｂの板状本体枠Ｂａ（後述する）と共に、機枠Ｆにその前後方向に開閉可能に支持されている。
【００３１】
遊技機本体Ｂは、板状本体枠Ｂａ及び遊技盤Ｂｂを備えており、板状本体枠Ｂａは、その左側端部にて、機枠Ｆの左側端部にその前側から前後方向に回動可能に支持されている。なお、図１において、機枠Ｆの図示左右上下の各側が、当該パチンコ遊技機の左右上下の各側に対応する。また、機枠Ｆの図示奥側及び図示手前側は、それぞれ、当該パチンコ遊技機の前側及び後側に対応する。
【００３２】
遊技盤Ｂｂは、板状本体枠Ｂａの開口部１０に嵌装してなるもので、この遊技盤Ｂｂは、複数の合板の積層体の前面に化粧シートを貼着して構成されている。なお、遊技盤Ｂｂの盤面は、上記の前面でもって構成されている。
【００３３】
また、遊技機本体Ｂは、図１或いは図２にて示すごとく、案内レール２０、スルーゲート３０ａ、風車３０ｂ、スタートチャッカー４０、アタッカー５０及び多数の障害釘からなる障害釘群６０を備えている。案内レール２０は、遊技盤Ｂｂの周縁部に沿い配設されており、この案内レール２０は、その内周側において遊技盤Ｂｂの盤面上に遊技領域を特定する。しかして、案内レール２０は、当該パチンコ遊技機の発射装置（図示しない）によりそのハンドルＨ（図１参照）の回動操作でもって順次発射される各遊技球を上記遊技領域内に案内する。なお、上記発射装置は、当該パチンコ遊技機の球貯留皿ＳＣ（図１参照）内に貯留してなる各遊技球を順次供給されてハンドルＨの回動操作でもって発射する。また、上記各遊技球は、磁性金属材料でもって形成されている。
【００３４】
スルーゲート３０ａは、図２にて示すごとく、上記遊技領域のうちセンター飾り８０（後述する）の左側部位にて遊技盤Ｂｂの盤面上に設けられている。風車３０ｂは、上記遊技領域のうちスルーゲート３０ａの直下にて、遊技盤Ｂｂの盤面上に設けられている。スタートチャッカー４０は、上記遊技領域のうち環状センター飾り８０の下縁中央の直下部位にて、遊技盤Ｂｂの盤面上に設けられている。アタッカー５０は、上記遊技領域のうちスタートチャッカー４０の直下部位にて、遊技盤Ｂｂの盤面上に設けられている。障害釘群６０は、上記遊技領域において、遊技盤Ｂｂの盤面上に離散状に打ち込まれている。具体的には、障害釘群６０を構成する多数の障害釘は、スルーゲート３０ａ、風車３０ｂやスタートチャッカー４０の周囲、アタッカー５０の上方及び開閉式入賞装置８０ａ（後述する）の近傍等に分散して遊技盤Ｂｂの盤面上に打ち込まれている。
【００３５】
また、遊技機本体Ｂは、液晶表示装置７０、環状センター飾り８０及び開閉式入賞装置８０ａを備えている。液晶表示装置７０は、液晶パネル７１を有しており、この液晶パネル７１は、その表示面にて当該パチンコ遊技機の前側に向け露出するように、遊技盤Ｂｂの開口部に嵌着されている。しかして、液晶表示装置７０は、その制御装置（図示しない）により、液晶パネル７１を駆動制御することで、液晶パネル７１の表示面にて、種々の演出表示を行う。
【００３６】
環状センター飾り８０は、液晶パネル７１を、球貯留装置９０及び振り分け装置１００（後述する）と共に、包囲するように、遊技盤Ｂｂの上記開口部の外周縁部に沿い上記盤面側から設けられているもので、この環状センター飾り８０は、その下縁部に設けたセンターステージ８１上に誘導された遊技球を、導出口部８１ａを介してスタートチャッカー４０に向けて落下させる。
【００３７】
開閉式入賞装置８０ａは、開閉羽根８２を有しており、この開閉羽根８２は、その基端部８２ａにて、遊技盤Ｂｂの盤面のうちセンター飾り８０の上縁部中央近傍部位にこれに沿い上下方向へ傾動可能に支持されている。これにより、当該開閉羽根８２は、電磁式アクチュエータ（図示しない）により下方に傾動されて、センター飾り８０の上縁右側内部に形成した誘導通路（図示しない）の入賞口部８３を開く（図２参照）。また、当該開閉羽根８２は、上記電磁式アクチュエータにより上方に傾動されて、上記誘導通路の入賞口部８３を閉じる。
【００３８】
これにより、液晶パネル７１による表示絵柄が、所定の絵柄（小当たりの絵柄）に揃ったとき、当該開閉式入賞装置８０ａは、開閉羽根８２の下方への傾動のもとに、上記遊技領域に順次案内された各遊技球を、所定個数（例えば、５個）だけ、上記誘導通路内にその入賞口部８３から入賞させて球貯留装置９０に向けて誘導する。なお、開閉式入賞装置８０ａは、上記所定個数の遊技球の入賞後開閉羽根８２を閉じる。また、閉羽根８２を傾動させる上記電磁式アクチュエータは、遊技盤Ｂｂにその後面側から設けられている。
【００３９】
球貯留装置９０は、振り分け装置１００と共に、遊技盤Ｂｂの上記開口部内に液晶パネル７１の右側にて嵌装されており、この球貯留装置９０は、遊技盤Ｂｂの上記開口部内にて、液晶パネル７１の額縁の上縁右側延出部にその下方から装着されている。しかして、この球貯留装置９０は、開閉式入賞装置８０ａからセンター飾り８０の上記誘導通路を通して案内される各遊技球を貯留する。そして、液晶パネル７１の表示内容が、予測される大当たりの直前の絵柄状態（リーチ状態）になったとき、球貯留装置９０は、その各貯留遊技球のうちの１個を、放出口部９１（図２参照）から放出する。なお、当該球貯留装置９０は、その制御装置による制御のもと、上記リーチ状態の成立時毎に、電磁式アクチュエータ（図示しない）により駆動されて、貯留遊技球を１個ずつ放出する。なお、この放出にかかわる上記制御装置及び電磁式アクチュエータは、遊技盤Ｂｂにその後面側から設けられている。
【００４０】
振り分け装置１００は、図２にて示すごとく、遊技盤Ｂｂの上記開口部内にて、球貯留装置９０の直下に位置するように、液晶パネル７１の額縁の下縁右側延出部上に装着されている。当該振り分け装置１００は、ケーシング１００ａを備えており、このケーシング１００ａは、ケーシング本体１１０及び蓋体１２０（本発明にいう誘導壁に対応）でもって構成されている。
【００４１】
ケーシング本体１１０は、図３〜図５のいずれかにて示すごとく、底壁１１０ａ、筒体１１０ｂ及び左右両側フランジ１１０ｃ、１１０ｄを備えており、筒体１１０ｂは、その下端開口部にて、底壁１１０ａにより閉じられている。
【００４２】
また、当該筒体１１０ｂは、平板状左壁１１１、Ｌ字板状右壁１１２、略円弧板状前壁１１３及び略円弧板状後壁１１４でもって、筒状に形成されている（図４及び図５参照）。ここで、右壁１１２は、図５にて示すごとく、左壁１１１に平行な右壁部１１２ａと、この右壁部１１２ａの前端部から右側へＬ字状に屈曲して延出する屈曲壁部１１２ｂとを有する。前壁１１３は、左壁１１１の前端部から屈曲壁部１１２ｂの延出端部にかけて、前方に向け凸な略円弧板状に形成されている。後壁１１４は、左壁１１１の後端部から右壁部１１２ａの後端部にかけて後方に向け凸な略円弧板状に形成されている。なお、左壁１１１には、底壁１１０ａの外端部上にて、遊技球をケーシング本体１１０の外部に放出する放出口部１１１ａが形成されている（図５、図７及び図８参照）。これに伴い、底壁１１０ａは、その上面にて、底壁１１０ａの上面に放出された遊技球を放出口部１１１ａに向けて転動させるような傾斜面として形成されている。
【００４３】
左側フランジ１１０ｃは、図５にて示すごとく、左側に向け凸な円弧状に突出するように、筒体１１０ｂの平板状左壁１１１の上端部から左側へＬ字状に屈曲して延出している。ここで、左側フランジ１１０ｃの円弧状外縁部は、筒体１１０ｂの前壁１１３及び後壁１１４の各円弧状上端部と共に同一円弧形状を構成する。
【００４４】
一方、右側フランジ１１０ｄは、右側に向け凸な円弧状に突出するように、筒体１１０ｂの右壁部１１２ａの上端部から右側へＬ字状に屈曲して延出している。ここで、右側フランジ１１０ｄの円弧状外縁部は、筒体１１０ｂの前壁１１３及び後壁１１４の各円弧状上端部と共に同一円弧形状を構成する。
【００４５】
蓋体１２０は、図３及び図４にて示すごとく、ケーシング本体１１０と球誘導部材１３０との間に介装されている。この蓋体１２０は、図４或いは図６にて示すように、環状外周壁１２０ａと、円板状内側壁１２０ｂとを有する。環状外周壁１２０ａは、図７或いは図８にて示すごとく、断面Ｌ字状に形成されており、この環状外周壁１２０ａは、ケーシング本体１１０の左右両側フランジ１１０ｃ、１１０ｄ上及び筒体１１０ａの前後両壁１１３、壁１１４の各上端部上に沿い設けられている。
【００４６】
しかして、当該環状外周壁１２０ａは、図６にて示すごとく、その左右両側内方突起部１２１、１２２の各雌ねじ孔部１２１ａ、１２２ａに、左右両側フランジ１１０ｃ、１１０ｄの左右一対の貫通孔部１１５、１１６（図４及び図５参照）を通して左右一対の皿子ネジ１１５ａ、１１６ａ（図６では、各一方の皿子ネジ１１５ａ、１１６ａのみを示す）を下方から締着することで、ケーシング本体１１０に組み付けられている。なお、左右両側内方突起部１２１、１２２は、環状外周壁１２０ａの内周面の左右両側部に内方へ突出形成されている。
【００４７】
また、環状外周壁１２０ａのケーシング本体１１０に対する組み付けは、次のような位置決めのもとになされている。即ち、ケーシング本体１１０の左右両側フランジ１１０ｃ、１１０ｄの略中央部から上方へ突出する各円柱状位置決め突起１１７、１１８（図５及び図６参照）が、左右両側内方突起部１２１、１２２の各位置決め突起１１７、１１８に対する各対応部に形成した各位置決め孔部１２１ｂ、１２２ｂ（図６参照）に嵌着されることで、環状外周壁１２０ａがケーシング本体１１０に対し位置決めされて組み付けられている。このため、環状外周壁１２０ａのケーシング本体１１０に対する組み付けが正しく容易になされ得る。
【００４８】
円板状内側壁１２０ｂは、その上面にて、図６〜図８にて示すごとく、その外周部から中心Ｏｃ（図４参照）に向けて半径方向に沿い下に凸で緩やかな湾曲状となるように形成されており、内側壁１２０ｂの上面の湾曲度合いは、球誘導部材１３０から後述のように内側壁１２０ｂの上面の外周部上に落下した遊技球を内側壁１２０ｂの上面の円周方向に沿い緩やかに転動させつつその中心Ｏｃに向けて螺旋状の軌跡を描くべく徐々に転動するように設定されている。なお、円板状内側壁１２０ｂの上面は、当該パチンコ遊技機に向かって遊技する遊技者にとって、視認し易い位置にある。
【００４９】
また、蓋体１２０は、図４、図７及び図８のいずれかにて示すごとく、前後両側貫通孔部１２３ａ、１２４ａを有しており、これら前後両側貫通孔部１２３ａ、１２４ａは、内側壁１２０ｂのうち中心Ｏｃを基準とする対称的な前後両側部位であって互いに所定間隔離れた前後両側部位に内側壁１２０ｂの厚さ方向に向け貫通状に形成されている。本実施形態では、前側貫通孔部１２３ａは、低入賞確率（０（％））に対応する外れ孔部（以下、外れ孔部１２３ａという）としての役割を果たし、後側貫通孔部１２４ａは、高入賞確率（１００（％））に対応する当たり孔部（以下、当たり孔部１２４ａという）としての役割を果たす。なお、当たり孔部１２４ａの外周部には、当たり孔部１２４ａであることを表す表示（例えば、赤色表示）がなされている。なお、外れ孔部１２３ａは、本発明にいう第１貫通孔部に対応し、当たり孔部１２４ａは、本発明にいう第２貫通孔部に対応する。
【００５０】
また、蓋体１２０は、前後両側放出円筒部１２３、１２４を有しており、これら前後両側放出円筒部１２３、１２４は、外れ孔部１２３ａ及び当たり孔部１２４ａから垂下されて延出している。但し、後側筒部１２４は、前側放出円筒部１２３よりも長く下方へ延出し、その下端開口部にて、ケーシング本体１１０に設けたコ字状壁１１９内に開口している。なお、コ字状壁１１９は、図５或いは図６にて示すごとく、その左側開口部１１９ａにてケーシング本体１１０の左壁１１１に向けて開口しており、このコ字状壁１１９の底面１１９ｂは、遊技球を放出し易くするように、その右端部から左端部にかけて順次下方に向けて傾斜している。
【００５１】
本実施形態では、前後両側放出円筒部１２３、１２４の各内径は、外れ孔部１２３ａ及び貫通孔部１２４ａの各内径と共に、遊技球の外径よりも幾分大きく設定されている。また、内側壁１２０ｂの上面のうち外れ孔部１２３ａ及び当たり孔部１２４ａの間の部位には、球通路１２５が形成されており、この球通路１２５の路面は、図６にて示すごとく、左右方向において下に凸な緩やかな横断面湾曲状に形成され、かつ、図７にて示すごとく、中心Ｏｃを頂点として外れ孔部１２３ａ及び当たり孔部１２４ａに向け上に凸な緩やかな縦断面湾曲状に形成されている。これにより、遊技球は、その転動の勢いに伴い、左右方向から球通路１２５内に容易に嵌り込み、かつ、中心Ｏｃを基準として前後のいずれの方向にも容易に転動可能となっている。
【００５２】
また、上述した所定間隔は、球通路１２５の前後方向長さに相当しており、この所定間隔は、内側壁１２０ｂの中心Ｏｃ上に位置する遊技球を、１回転よりも小さな回転（例えば、３分の１回転）させることなく、外れ孔部１２３ａ及び当たり孔部１２４ａのいずれか一方内に落下させ得る程度に設定されている。
【００５３】
また、球通路１２５は、図４、図６〜図８のいずれかに示すように、帯状の左右両側突起部１２５ａを有しており、これら左右両側突起部１２５ａのうち、左側突起部１２５ａは、外れ孔部１２３ａの外周部左側から後方に向け転動する遊技球をそのまま当たり孔部１２４ａ内に落下させることなく当たり孔部１２４ａの左側に向け転動させるように、図４及び図７にて示すごとく帯状に突出形成されている。一方、右側突起部１２５ａは、当たり孔部１２４ａの外周部右側に沿い前方に向け転動する遊技球をそのまま当たり孔部１２４ａ内に落下させることなく前方へ転動させるように、図４にて示すごとく、左側突起部１２５ａに対向して帯状に突出形成されている。
【００５４】
また、当該振り分け装置１００は、球誘導部材１３０（図２〜図４参照）及び球振り分け機構１４０（図６〜図８参照）を備えている。球誘導部材１３０は、図３或いは図４にて拡大して示すごとく、環状壁１３０ａ及び誘導壁１３０ｂを有しており、環状壁１３０ａは、蓋体１２０の環状外周壁１２０ａ上に組み付けられている。また、環状壁１３０ａの環状外周壁１２０ａに対する組み付けは、次のような位置決めのもとになされている。即ち、環状外周壁１２０ａの前後方向両側部位から上方へ突出する各円柱状位置決め突起１２６、１２７（図４参照）が、環状壁１３０ａの各位置決め突起１２６、１２７に対する各対応部に形成した各位置決め孔部１３１、１３２（図４参照）に嵌着されることで、環状壁１３０ａが環状外周壁１２０ａに対し位置決めされて組み付けられている。
【００５５】
誘導壁１３０ｂは、図４にて示すごとく、環状壁１３０ａの右側半環状部上に沿い固着されてなるもので、この誘導壁１３０ｂは、球貯留装置９０の放出口部９１から補助壁９２（図１参照）を介し放出される遊技球を、蓋体１２０の円板状内側壁１２０ｂ上に誘導する役割を果たす。
【００５６】
このため、誘導壁１３０ｂは、次のように構成されている。即ち、この誘導壁１３０ｂは、半環状に形成されており、当該誘導壁１３０ｂの上面１３３は、その導入端部１３３ａにて、環状壁１３０ａの上面後端部の上方に位置し、その導出端部１３３ｂにて、環状壁１３０ａの上面前端部上に位置するように、誘導通路（以下、誘導通路１３３ともいう）として環状壁１３０ａの上面後端部の上方から上面前端部上にかけて環状壁１３０ａの円周方向に沿い順次傾斜して形成されている。また、誘導壁１３０ｂの誘導通路１３３は、補助壁９２により案内された遊技球を、蓋体１２０の円板状内側壁１２０ｂの上面にその円周方向に向け落下させるように誘導すべく、下に凸な横断面円弧状に形成されている。
【００５７】
ここで、上述した補助壁９２は、円弧板状に形成されて、図２にて示すごとく、球貯留装置９０の放出口部９１の下側にて環状壁１３０ａ上に設けてなるもので、この補助壁９２の上面９２ａは、遊技球を誘導壁１３０ｂに案内するように、下に凸な横断面円弧状に形成されて、案内通路（以下、案内通路９２ａともいう）として、放出口部９１の直下から誘導壁１３０ｂの導入端部１３３ａに向けて傾斜して連結されている。
【００５８】
球振り分け機構１４０は、蓋体１２０と共に、球誘導部材１３０により誘導された遊技球を振り分ける役割を果たすもので、この球振り分け機構１４０は、ケーシング本体１１０内に配設されている。
【００５９】
当該球振り分け機構１４０は、図６〜図８にて拡大して示すごとく、摺動筒１４１及び磁石片１４２を有しており、摺動筒１４１は、蓋体１２０の後側放出円筒部１２４に沿いその軸方向に向け摺動可能に嵌装されている。本実施形態では、摺動筒１４１は、その前側円弧壁部にて、図６〜図８にて示すごとく、その下部１４１ａを残し、切除されている。これに伴い、摺動筒１４１の上端部は、後側円弧壁部の上端部（以下、円弧状上端部１４１ｂという）として形成されている。なお、上記前側円弧壁部がその中心に対し張る円弧角は鋭角である。従って、円弧状上端部１４１ｂがその中心に対し張る円弧角は鈍角である。
【００６０】
磁石片１４２は、永久磁石材料により、図５から分かるように、半円環状に形成されており、この磁石片１４２は、摺動筒１４１の円弧状上端部１４１ｂのうち後側半円周部に上方から同軸的に固着されている。これにより、当該磁石片１４２は、図７及び図８から分かるように、当たり孔部１２４ａの外周部のうち後側半円周部の直下にて同軸的に位置する。なお、磁石片１４２が当たり孔部１２４ａの上記後側半円周部に下方から当接しているときに、当該後側半円周部上に位置する遊技球に磁力を作用させ得るように、磁石片１４２の磁力及び当たり孔部１２４ａの外周部の厚さが選定されている。
【００６１】
また、当該球振り分け機構１４０は、図５、図７及び図８のいずれかにて示すごとく、電磁式アクチュエータ１４３、揺動部材１４４及び支持部材１４５を有している。電磁式アクチュエータ１４３は、図５〜図８のいずれかに示すごとく、ケーシング本体１１０内にて摺動筒１４１の後方に配設されているもので、この電磁式アクチュエータ１４３は、その後部にて、略円弧板状後壁１１４に形成したコ字状壁部１１４ａ内に嵌装されて、底壁１１０ａの台座部ａ上に立設している。なお、台座部ａは、コ字状壁部１１４ａの内側近傍において、底壁１１０ａに突設されている。
【００６２】
電磁式アクチュエータ１４３は、図７及び図８にて示すごとく、筒状の鉄製ヨーク１４３ａと、このヨーク１４３ａ内に同心的に収容したソレノイド１４３ｂと、ヨーク１４３ａの上端開口部を通してソレノイド１４３ｂ内に軸動可能に嵌装される鉄製プランジャー１４３ｃと、ソレノイド１４３ｂ内にてヨーク１４３ａの底壁とプランジャー１４３ｃの底部との間に介装されてプランジャー１４３ｃを上方に向けて付勢するコイルスプリング１４３ｄとによって構成されている。
【００６３】
しかして、プランジャー１４３ｃは、ソレノイド１４３ｂの励磁による吸引力を受けて、コイルスプリング１４３ｄに抗してソレノイド１４３ｂ内に吸引されて下方に向け軸動する。また、プランジャー１４３ｃは、ソレノイド１４３ｂの消磁のもとにコイルスプリング１４３ｄより付勢されて上方に向け軸動する。なお、ソレノイド１４３ｂは、遊技盤Ｂｂにその後面から設けられたソレノイド制御回路（図示しない）により励磁或いは消磁される。
【００６４】
揺動部材１４４は、支持部材１４５により以下のごとく上下方向に揺動可能に支持されている。支持部材１４５は、図５〜図８のいずれかにより示すごとく、コ字状板１４５ａ及び左右両側支持腕１４５ｂを有しており、コ字状板１４５ａは、左右両側板部ｂ及び連結板部ｃでもってコ字状に構成されている。
【００６５】
これにより、支持部材１４５は、その左右両側板部ｂにて、環状外周壁１２０ａの左右両側内方突起部１２１、１２２に形成した各切欠部１２１ｃ、１２２ｃ（図６参照）によりケーシング本体１１０の左右両側フランジ１１０ｃ、１１０ｄ上に固定されている。なお、各切欠部１２１ｃ、１２２ｃは、左右両側内方突起部１２１、１２２の内側下端隅角部を断面Ｌ字状に切り欠くことで形成されている。
【００６６】
左右両側支持腕１４５ｂは、揺動部材１４４を支持すべく、コ字状板１４５ａの連結板部ｃの左右両端部から下方に向け互いに平行に延出している。
【００６７】
揺動部材１４４は、図５にて示すごとく、支持軸１４４ａと、揺動部材１４４ｂとを有しており、支持軸１４４ａは、図５〜図７のいずれかにて示すごとく、その両軸方向中間部位にて、支持部材１４５の左右両側支持腕１４５ｂの各延出端部に形成した環状部内に嵌装支持されている。
【００６８】
揺動部材１４４ｂは、円筒部ｄ、左右両側腕部ｅ及び二股部ｆを有しており、円筒部ｄは、支持部材１４５の左右両側支持腕１４５ｂの間にて、支持軸１４４ａにより同軸的にかつ回動可能に支持されている。左右両側腕部ｅは、円筒部ｄの軸方向両端部からこれに直角となるように前方に向けて延出しており、当該左右両側腕部ｅは、その各延出端部にて、摺動筒１４１の軸方向中間部位を相対回動可能に挟持している（図６参照）。
【００６９】
二股部ｆは、図５、図７及び図８のいずれかにて示すごとく、円筒部ｄの上下両側部から後方に向け、二股板状に延出してなるもので、この二股部ｆのうち下側板部ｆ１は、左右方向においてさらに二股状に形成されている。これに伴い、電磁式アクチュエータ１４３のプランジャー１４３の先端部に形成したフランジ部１４３ｅが、二股部ｆの間に介装されるとともに、プランジャー１４３の頚部が、下側板部ｆ１により上下方向に相対転動可能に挟持されている。これにより、二股部ｆは、左右両側腕部ｅと共に、プランジャー１４３ｃの上方（或いは下方）への軸動に伴い、円筒部ｄを基準に図７或いは図８にて図示反時計方向（或いは時計方向）へ回動する。このことは、揺動部材１４４が、その揺動部材１４４ｂにて、円筒部ｄの軸周りに、上下方向へ揺動することを意味する。
【００７０】
また、当該球振り分け機構１４０は、図５〜図８のいずれかにて示すごとく、ギアードモータ１４６、駆動ギア１４７、中間ギア１４８及び被動ギア１４９を有している。ギアードモータ１４６は、図５にて示すごとく、そのフランジ部１４６ａにて、筒体１１０ｂの屈曲壁部１１２ｂに支持されており、このギアードモータ１４６の出力軸１４６ｂは、屈曲壁部１１２ｂ近傍にて筒体１１０ｂの右壁部１１２ａの上部から左方へ突出する直方体状ブロック部１１２ｃの右側部に後方に向け回転自在に挿通されている。
【００７１】
ここで、ギアードモータ１４６は、ステップモータに減速機を同軸的に連結して構成されており、このギアードモータ１４６は、遊技盤Ｂｂにその後面から設けたモータ制御回路（図示しない）により制御されて減速回転する。本実施形態では、ギアードモータ１４６は、磁石Ｍ１（後述する）の中心を球通路１２５の頂点（中心Ｏｃに対応）に対向させる被動ギア１４９（後述する）の回転位置を基準にして、左右方向に所定回転角（例えば、２０°）だけ交互に緩やかに回転するように上記モータ制御回路により制御される。なお、上記減速機の出力軸が、ギアードモータ１４６の出力軸１４６ｂに相当する。
【００７２】
駆動ギア１４７は、スパーギアからなるもので、この駆動ギア１４７は、摺動筒１４１の右側（図６参照）に位置して、ギアードモータ１４６の出力軸１４６ｂの先端部に同軸的に支持されている。中間ギア１４８は、スパーギアからなるもので、この中間ギア１４８は、軸１４８ａにより、同軸的にかつ回転自在に支持されて、駆動ギア１４７に噛合している。なお、軸１４８ａは、ギアードモータ１４６の出力軸１４６ｂに平行となるように、ブロック部１１２ｃの左側下部にその後方から嵌着されている。
【００７３】
被動ギア１４９は、図６〜図８のいずれかにて示すごとく、摺動筒１４１の上記切欠部の直上にて、蓋体１２０の後側放出円筒部１２４の前側外周部に対向するように、軸１４９ａにより同軸的にかつ回転自在に支持されており、この被動ギア１４９の外周部には、円弧状スパーギア部１４９ｂ及び円弧状磁石埋設部１４９ｃが共に同軸的に形成されている。しかして、被動ギア１４９は、その円弧状スパーギア部１４９ｂにて、中間ギア１４８に噛合している。なお、軸１４９ａは、軸１４８ａに平行となるように、ブロック部１１２ｃの左側下部にその後方から嵌着されている。
【００７４】
円弧状磁石埋設部１４９ｃは、その外周面前後方向中央部にて、蓋体１２０の球通路１２５の通路方向（外れ孔部１２３ａ及び当たり孔部１２４ａの中心線に対応）に直交するように位置して、球通路１２５に対向している。この円弧状磁石埋設部１４９ｃには、３つの円柱台状磁石Ｍ１、Ｍ２及びＭ３が埋設されており、これら磁石Ｍ１、Ｍ２及びＭ３は、その各外面にて、磁石埋設部１４９ｃの外周面から半径方向に沿い外方を臨んでいる。
【００７５】
ここで、これら磁石Ｍ１、Ｍ２及びＭ３のうち、磁石Ｍ１は、磁石埋設部１４９ｃの外周面の前後方向中央部（幅方向中央部）に埋設されている。磁石Ｍ２は、図５にて示すごとく、磁石Ｍ１の左側にてこの磁石Ｍ１によりも後方寄りにて、磁石埋設部１４９ｃに埋設されている。また、磁石Ｍ３は、図５にて示すごとく、磁石Ｍ１の右側にてこの磁石Ｍ１によりも前方寄りにて、磁石埋設部１４９ｃに埋設されている。換言すれば、各磁石Ｍ１、Ｍ２及びＭ３は、それぞれ、球通路１２５の通路方向の中央部、後側部及び前側部に対向し得るように、磁石埋設部１４９ｃに埋設されている。なお、各磁石Ｍ１、Ｍ２の中心及び各磁石Ｍ１、Ｍ３の中心が、それぞれ、被動ギア１４９の中心に対し張る角度は２０°であるものとする。
【００７６】
ブロック部１１２ｃは、図５、図７或いは図８にて示すごとく、球放出路１１２ｄを有しており、この球放出路１１２ｄは、蓋体１２０の前側筒部１２３を通り落下する遊技球を筒体１１０ｂの前壁１１３側に向け放出するように、断面下に凸な湾曲状にて、ブロック部１１２ｃの左側部（図５参照）に形成されている。
【００７７】
なお、本実施形態では、外れ孔部１２３ａ及び当たり孔部１２４ａのいずれに落下する遊技球も、捨て球として、ケーシング本体１１０の放出口部１１１ａから当該パチンコ遊技機の後方へ放出される。このため、磁気センサＳが、当たり孔部１２４ａに落下した遊技球を外れ孔部１２３ａに落下した遊技球と区別すべく、図７及び図８にて示すごとく、蓋体１２０の後側筒部１２４の下端部に設けられている。これにより、この磁気センサＳは、後側筒部１２４の下端部から落下する遊技球を磁気的に検出する。
【００７８】
以上のように構成した本実施形態では、当該遊技機が遊技状態にあるとき、多数の遊技球が球貯留皿ＳＣに貯留されている状態にて、遊技者がハンドルＨを回動操作すると、上記発射装置が、球貯留皿ＳＣから順次供給される各遊技球を、案内レール２０を介し、順次、遊技盤Ｂｂの遊技領域内に発射する。
【００７９】
これに伴い、このように発射された各遊技球は、上記遊技領域内にて障害釘群６０の各障害釘、開閉式入賞装置８０ａ、スルーゲート３０ａ、風車３０ｂ、スタートチャッカー４０、アタッカー５０或いはアウト口（図示しない）を介し転動していく。そして、このような転動に伴い、液晶表示装置７０は、その液晶パネル７１にて、現段階における遊技状態に対応する演出を順次表示する。
【００８０】
このような状態において、液晶パネル７１における演出表示が、所定の絵柄である小当たりの絵柄になったとき、開閉式入賞装置８０ａの開閉羽根８２が上記電磁式アクチュエータにより駆動されて上記誘導通路の入賞口部８３を開く。すると、この入賞口部８３の近傍にて転動する各遊技球が順次上記誘導通路内にその入賞口部８３から入賞する。なお、遊技球の入賞数が上記所定個数に達したとき、開閉羽根８２は上記電磁式アクチュエータにより駆動されて入賞口部８３を閉じる。
【００８１】
しかして、上述のように入賞した上記所定個数の遊技球は、上記誘導通路により球貯留装置９０に向けて誘導されて当該球貯留装置９０内に貯留される。然る後、大当たりの予測直前であるリーチ状態が発生すると、液晶表示装置７０が、その液晶パネル７１にて、リーチ状態を演出表示する。これに伴い、球貯留装置９０が、その放出口部９１から、貯留済みの各遊技球のうちの１個を補助壁９２に向け放出される。このとき、液晶表示装置７０が、その液晶パネル７１にて、「振り分け装置を見よ」という演出表示をする。これにより、遊技者は、振り分け装置１００を視認することとなる。
【００８２】
しかして、このような視認状態において、上述のように放出された遊技球は、補助壁９２によりその案内通路９２ａに沿い、振り分け装置１００における球誘導部材１３０の誘導通路１３３の導入端部１３３ａに向けて案内される。このように案内される遊技球は、誘導通路１３３によりその導入端部１３３ａから誘導されて導出端部１３３ｂに到達した後、蓋体１２０の円板状内側壁１２０ｂの上面の外周部上にその円周方向に向け落下する。
【００８３】
このように落下した遊技球は、上述のような内側壁１２０ｂの上面の湾曲度合いのもと、当該内側壁１２０ｂの上面の円周方向に沿い緩やかに転動しつつその中心Ｏｃに向けて螺旋状に転動する。
【００８４】
このとき、振り分け装置１００において、球振り分け機構１４０の電磁式アクチュエータ１４３が、そのソレノイド１４３ｂにて、上記ソレノイド制御回路により励磁されれば、プランジャー１４３ｃが、コイルスプリング１４３ｄに抗してソレノイド１４３ｂの磁力により吸引されて下方へ軸動し、揺動部材１４４が、図７にて図示時計方向に揺動して、摺動筒１４１を蓋体１２０の後側放出円筒部１２４に沿い上方へ摺動させる。このため、磁石片１４２は、図８にて示すごとく、蓋体１２０の当たり孔部１２４ａの外周部の上記後側半円周部に下方から当接する。
【００８５】
また、上述のような電磁式アクチュエータ１４３の励磁とともに、球振り分け機構１４０のギアードモータ１４６が、上記モータ制御回路により制御されて左右方向に交互に回転すると、駆動ギア１４７が、ギアードモータ１４６の左右方向への交互の回転に伴い同様に回転し、被動ギア１４９が、中間ギア１４８を介し駆動ギア１４７により駆動されてこの駆動ギア１４７と同様に回転する。このため、磁石Ｍ１が、球通路１２５の頂点に対応する位置を基準にして、被動ギア１４９の左右方向への回転に伴い同様に左右方向へ円弧状に変位する。これに伴い、他の磁石Ｍ２、Ｍ３も、その原位置を基準にして、磁石Ｍ１と同様に左右方向へ円弧状に変位する。
【００８６】
このような状態において、遊技球が上述のように内側壁１２０ｂの上面に沿い中心Ｏｃに向けて螺旋状に転動する過程で、当該遊技球が、例えば、外れ孔部１２３ａの外周部側から当たり孔部１２４ａの外周部側へ転動する状態になったとき、上述のように、当該遊技球が磁性金属材料からなること及び磁石片１４２が当たり孔部１２４ａの上記後側半円周部に下方から当接しているため、当該遊技球は、その転動の勢いに伴い、磁石片１４２の磁力を受けて吸引されながら、左側突起部１２５ａにより当たり孔部１２４ａへの落下を阻止されて、当たり孔部１２４ａの外周部の上記後側半円周部に沿いその左側端部から右側端部にかけて転動していく。
【００８７】
ここで、磁石片１４２は、当たり孔部１２４ａの上記後側半円周部に対応するように半円環状に形成されているため、上述のように当たり孔部１２４ａの外周部の上記後側半円周部に沿い転動していく遊技球は、その転動の勢いに応じて、上記後側半円周部の右側端部（磁石片１４２の右側端部に対応）に達した後、右側突起部１２５ａによる当たり孔部１２４ａ内への落下阻止のもと、当たり孔部１２４ａに落下することなく、そのまま当該右側端部から当たり孔部１２４ａに対する接線方向（前方方向）に向け、磁石片１４２の磁力に抗してさらに転動していく。このことは、遊技球は、磁石片１４２の磁力のため、当たり孔部１２４ａには落下しにくいことを意味する。
【００８８】
これに伴い、遊技球がそのまま前方方向に転動して外れ孔部１２３ａの外周部の右側部に達すると、外れ孔部１２３ａの外周部には、何ら磁力が作用していないため、当該遊技球は、上述した蓋体１２０の円板状内側壁１２０ｂの上面の傾斜度合いのもと、外れ孔部１２３ａ内に容易に落下し易い。
【００８９】
以上によれば、磁石片１４２が当たり孔部１２４ａの外周部の上記後側半円周部に当接しているときには、遊技球が当たり孔部１２４ａに落下する確率は非常に低く、遊技球が外れ孔部に落下する確率が非常に高く維持され得る。
【００９０】
また、上述のような遊技球の当たり孔部１２４ａに対する接線方向への転動過程において、当該遊技球が、外れ孔部１２３ａの外周部の左側に達することなく球通路１２５内に転動すると、当該遊技球は、上述のように左右方向に交互に緩やかに回転している被動ギア１４９の各磁石Ｍ１、Ｍ２及びＭ３の変位位置との関連にて、最も近くに位置する各磁石Ｍ１、Ｍ２及びＭ３のいずれかの磁力を受けて吸引される。
【００９１】
例えば、磁石Ｍ１が球通路１２５の頂点に対向して位置するときに当該遊技球が当該頂点に転動すれば、この遊技球は、上記頂点にて磁石Ｍ１の磁力により吸引される。そして、その後、被動ギア１４９の回転に伴い、磁石Ｍ２或いは磁石Ｍ３が球通路１２５の後側部或いは前側部に対向する位置に達すれば、上記頂点に位置する遊技球は、磁石Ｍ２或いは磁石Ｍ３の磁力により後側或いは前側へ吸引される。これに伴い、上述のような球通路１２５の後側部或いは前側部の上記頂部からの傾斜のもと、遊技球は、当たり孔部１２３ａ或いは外れ貫通孔部１２４ａに落下し易いように振り分けられる。なお、遊技球の当たり孔部１２３ａ及び外れ貫通孔部１２４ａに落下する各確率は、共に、５０（％）である。
【００９２】
また、例えば、磁石Ｍ１が球通路１２５の頂点以外の変位位置にあるときに当該遊技球が当該頂点に転動すれば、球通路１２５が上述のごとく下に凸な湾曲状となっているため、この遊技球は、上記頂点により近い変位位置にある磁石Ｍ２或いは磁石Ｍ３の磁力により吸引されて、外れ孔部１２３ａ或いは当たり孔部１２４ａに落下し易いにように振り分けられる。なお、このときの遊技球の当たり孔部１２３ａ及び外れ貫通孔部１２４ａへの各落下確率は、共に、５０（％）である。
【００９３】
また、例えば、遊技球が球通路１２５の上記頂点以外の部位に転動すれば、この転動位置に最も近い磁石Ｍ２及びＭ３のいずれかの磁力により吸引されて、外れ孔部１２３ａ或いは当たり孔部１２４ａに落下し易いように振り分けられる。
【００９４】
以上のような遊技球の転動軌跡にあっては、上述のように磁石片１４２が当たり孔部１２４ａの外周部の上記後側半円周部に対向して位置するため、遊技球は、磁石片１４２の磁力を受けても、その転動の勢いのもと、当たり孔部１２４ａの外周部の後側半円周部に沿い転動するだけである。そして、このような転動による遊技球の軌跡は、遊技球が蓋体１２０の円板状内側壁１２０ｂの上面に落下してその円周方向に沿い中心Ｏｃに向けて螺旋状に転動する軌跡に似ておりその転動軌跡の延長上にある。
【００９５】
このため、この転動経路は、遊技者にとって、蓋体１２０の上面における遊技球の螺旋状の転動経路の延長上にあって自然の転動経路のように見える。このことは、遊技者がこのような遊技球の転動軌跡を視認しても特に不自然に感じることなく遊技球の自然の動きとして認識し得ることを意味する。
【００９６】
また、上述のように遊技球が、遊技球が球通路１２５に達した後には、当該遊技球は、外れ孔部１２３ａ及び当たり孔部１２４ａのいずれにも落下しにくいような状態を招くことなく、上述のような被動ギア１４９の交互回転に伴う各円柱台状磁石Ｍ１〜Ｍ３の回転により、外れ孔部１２３ａ及び当たり孔部１２４ａのいずれかに落下し易いように振り分けられる。そして、このような振り分けは、遊技者にとって、上述した各円柱台状磁石Ｍ１〜Ｍ３の回転による遊技球の動きに起因して、自然な振り分けのように見える。
【００９７】
以上によれば、遊技球が当たり孔部１２４ａ及び外れ孔部１２３ａのいずれに落下するかについて遊技者は大きな興味をそそられる。そして、このような興味のもとに、上述のように遊技球が当たり孔部１２４ａに落下することなく外れ孔部１２３ａに落下しても、或いは、球通路１２５から当たり孔部１２４ａ及び外れ孔部１２３ａのいずれかに落下しても、遊技者は、振り分け装置１００による遊技球の自然の振り分け演出効果として認識し、良好な面白みを感じることができる。その結果、遊技者にとって興味をそそるような遊技性が良好に確保され得る。
【００９８】
また、上述のように外れ孔部１２３ａに落下した遊技球は、蓋体１２０の前側放出円筒部１２３を通りケーシング本体１１０のブロック１１２ｃの球放出路１１２ｄに沿い放出されてケーシング本体１１０の底壁１１０ａ上に落下した後、放出口部１１１ａから当該遊技機の後方へ放出される。
【００９９】
また、上述のように当たり孔部１２４ａに落下した遊技球は、蓋体１２０の後側放出円筒部１２４を通りケーシング本体１１０のコ字状壁１１９内に落下した後その底面に沿いケーシング本体１１０の底壁１１０ａ上に案内されて、放出口部１１１ａから当該遊技機の後方へ放出される。ここで、上述のように遊技球が後側放出円筒部１２４を通り落下するとき、この遊技球は、磁気センサＳにより検出される。
【０１００】
この検出に伴い、液晶表示装置７０の液晶パネル７１の演出表示が、例えば大当たりの演出表示に変わると、アタッカー５０が開閉制御される。これにより、遊技者は、アタッカー５０への遊技球の入賞による特別価値を得ることができる。
【０１０１】
また、振り分け装置１００において、球振り分け機構１４０の電磁式アクチュエータ１４３が、そのソレノイド１４３ｂにて、上記ソレノイド制御回路により消磁されれば、プランジャー１４３ｃが、コイルスプリング１４３ｄの弾力を受けて、上動し、揺動部材１４４が、図８にて図示反時計方向に揺動して、摺動筒１４１を蓋体１２０の後側放出円筒部１２４に沿い下方へ摺動させる。このため、磁石片１４２は、図７にて示すごとく、蓋体１２０の当たり孔部１２４ａの外周部の上記後側半円周部から下方へ分離される。従って、磁石片１４２の磁力は、上述のように蓋体１２０の円板状内側壁１２０ｂの上面の中心部Ｏｃに向けて転動する遊技球には作用しない。
【０１０２】
また、球振り分け機構１４０のギアードモータ１４６は、ソレノイド１４３ｂの消磁とともに、停止される。なお、ギアードモータ１４６の停止は、磁石Ｍ１の球通路１２５の頂点に対向する位置への変位に伴い、なされ得る。
【０１０３】
このような状態においては、上述のように蓋体１２０の円板状内側壁１２０ｂの上面に落下した遊技球は、上述と同様に、当該内側壁１２０ｂの上面の円周方向に沿い緩やかに転動しつつその中心Ｏｃに向けて螺旋状に自然な経路を転動しながら、当たり孔部１２４ａ或いは外れ孔部１２３ａに落下し易いように振り分けられる。
【０１０４】
その結果、このように遊技球が振り分けられても、遊技者は、何ら不自然に感じることがなく、所定の入賞に対応させるような振り分け装置１００の振り分け演出効果に対し、良好な面白みを感じることができる。その結果、遊技者にとって興味をそそるような遊技性が良好に確保され得る。
【０１０５】
また、上述のような過程においては、上述のごとく、磁石片１４２が当たり孔部１２４ａから分離されているため、遊技球が落下する確率は、当たり孔部１２４ａ及び外れ孔部１２３ａの各々において５０（％）である。
【０１０６】
ここで、当たり孔部１２４ａに落下した遊技球は、磁気センサＳにより検出されるので、上述と同様に、液晶表示装置７０の液晶パネル７１の演出表示が、例えば大当たりの演出表示に変わると、アタッカー５０が開閉制御される。これにより、遊技者は、アタッカー５０への遊技球の入賞による特別価値を得ることができる。
【０１０７】
なお、本発明の実施にあたり、上記実施形態に限ることなく、次のような種々の変形例が挙げられる。
１．球誘導部材１３０の誘導通路１３３は、球誘導部材１３０の上面に代えて、当該球誘導部材１３０の内部に筒状に形成するようにしてもよく、また、誘導通路１３３は、その導入端部から導出端部にかけて直線状に傾斜するように形成してもよい。また、球誘導部材１３０において、上記実施形態にて述べた環状壁１３０ａを廃止して、誘導壁１３０ｂを蓋体１２０の環状外周壁１２０ａ上に直接設けるようにしてもよい。
２．磁石片１４２を当たり孔部１２３ａの外周部の上記後側半円周部にその下方から当接させ或いは当該後側半円周部から分離させるように変位させるにあたっては、上記実施形態にて述べた摺動筒１４１、電磁式アクチュエータ１４３、揺動部材１４４及び支持部材１４５からなる構成に限ることなく、どのような構成であってもよい。例えば、摺動筒１４１の軸方向に沿い当該摺動筒の外周面に帯状のラックを形成し、このラックに噛合するピニオンを他のギアードモータの出力軸に支持して、当該他のギアードモータの正転或いは逆転に伴う上記ピニオンの正転或いは逆転により摺動筒１４１を上記ラックと共に上方或いは下方へ摺動させるようにしてもよい。
３．振り分け装置１００は、上記実施形態とは異なり、遊技球の上記遊技領域における転動経路であれば、例えば、スタートチャッカー４０の下側、スルーゲート３０ａの上側或いは風車３０ｂの下側等、どの位置に設けるようにしてもよい。
４．磁石片１４２は、上記実施形態とは異なり、当たり孔部１２４ａの上記後側半円周部の曲率よりも大きな曲率を有する半円環状等の湾曲状磁石片とし、この湾曲状磁石片を、摺動筒１４１の円弧状上端部１４１ｂの上記後側半円周部上に適宜な合成樹脂製板を介し設けるようにしてもよい。
５．上記実施形態にて述べた低入賞確率は、０（％）に限ることなく、例えば、１０（％）或いは５（％）であってもよく、また、上記実施形態にて述べた高入賞確率は、１００（％）に限ることなく、例えば、９０（％）或いは９５（％）であってもよい。
６．磁石片１４２は、上記実施形態にて述べたように当たり孔部１２４ａの上記後側半円周部に下方から当接するのではなく、当該後側半円周部上に位置する遊技球に磁力を作用させ得る程度に上記後側半円周部下方から近接するようにしてもよい。
７．上記実施形態では、ケーシング１００ａの蓋体１２０に形成した外れ孔部１２３ａ及び当たり孔部１２４ａは、それぞれ、１つずつであるが、これに限らず、当該外れ孔部１２３ａ及び当たり孔部１２４ａを含めて少なくとも３つ以上の孔部を形成するようにしてもよい。
８．上記実施形態にて述べたケーシング１００ａにおいて、ケーシング本体１１０は、廃止してもよい。この場合には、上記実施形態にて述べた液晶パネル７１の額縁において、その下縁右側延出部の上端前面部から上方に向けて右側額縁壁部を延出させて、この右側額縁壁部により、ケーシング本体１１０内に収容されていた摺動筒１４１、磁石片１４２、電磁式アクチュエータ１４３、揺動部材１４４その他の各構成部材を目隠しするようにしてもよい。なお、蓋体１２０は、図２の図示位置にて遊技盤Ｂｂ或いはセンター飾り８０の適所に支持すればよく、また、支持部材１４５及び被動ギア１４９は、図７にて図示位置を維持するように、遊技盤Ｂｂ或いはセンター飾り８０の他の適所に直接或いは適宜な取り付け板を介し支持すればよい。また、アクチュエータ１４３は、液晶パネル７１の額縁の下縁右側延出部上に設ければよい。
【図面の簡単な説明】
【０１０８】
【図１】本発明が適用された遊技機の一実施形態を、前側扉を開いた状態で示す正面図である。
【図２】図１の遊技機本体の拡大正面図である。
【図３】図２の振り分け装置の拡大正面図である。
【図４】図２の振り分け装置の平面図である。
【図５】図２の振り分け装置を、ケーシングの蓋体及び球誘導部材を除いた状態で示す拡大部分破断平面図である。
【図６】図４にて６−６線に沿う拡大断面図である。
【図７】図４にて７−７線に沿う拡大断面図である。
【図８】摺動筒を上方に軸動させた状態を示す拡大断面図である。
【符号の説明】
【０１０９】
Ｂｂ…遊技盤、Ｍ１、Ｍ２、Ｍ３…円柱台状磁石、３０ａ…スルーゲート、
３０ｂ…風車、４０…スタートチャッカー、５０…アタッカー、６０…障害釘群、
８３…入賞口部、１００ａ…ケーシング、１１０…ケーシング本体、１２０…蓋体、
１２３ａ…外れ孔部、１２４…後側放出筒部、１２４ａ…当たり孔部、１２５…球通路、
１２５ａ…突起部、１３０…球誘導部材、１４１…摺動筒、１４２…磁石片、
１４３…電磁式アクチュエータ、１４３ｃ…プランジャー、１４４…揺動部材、
１４５…支持部材、１４６…ギアードモータ、１４７…駆動ギア、１４８…中間ギア、
１４９…被動ギア。
【図１】
0005065975.tif 000002
【図２】
0005065975.tif 000003
【図３】
0005065975.tif 000004
【図４】
0005065975.tif 000005
【図５】
0005065975.tif 000006
【図６】
0005065975.tif 000007
【図７】
0005065975.tif 000008
【図８】
0005065975.tif 000009